(57)【要約】  ハンドル部を細く、スリムに構成して、操作性及び意匠性を向上でき、しかも外装ケースから外部へ突出する内装部材に誘導コイルを組み込むことで、非接触充電が可能な電動歯ブラシを提供する。  持ち手としてのハンドル部（２）が、第１端部（４ａ）と第２端部（４ｂ）とを有する金属製筒状の外装ケース（４）と、第１端部（４ａ）を挿通する小端部（５ａ）と、第２端部（４ｂ）に係止される大端部（５ｂ）とを有し、外装ケース（４）の第２端部（４ｂ）側から小端部（５ａ）を挿入して、外装ケース（４）に内装した内装部材（５）と、第１端部（４ａ）から外部へ突出する小端部（５ａ）に結合構造（６）を介して外嵌固定されるとともに、外装ケース（４）の第１端部（４ａ）に係合して、大端部（５ｂ）との協働により、内装部材（５）からの外装ケース（４）の脱落を規制する規制部材（７）と、替えブラシ（３）を振動させるために、内装部材（５）に組み込んだ振動発生手段（９）とを備えた。
2015147054.tif 000002
【特許請求の範囲】
【請求項１】
持ち手としてのハンドル部に替えブラシを着脱自在に取り付けた電動歯ブラシであって、
前記ハンドル部は、
第１端部と第２端部とを有する金属製筒状の外装ケースと、
前記第１端部を挿通する小端部と、前記第２端部に係止される大端部とを有し、前記外装ケースの第２端部側から小端部を挿入して、前記外装ケースに内装した内装部材と、
前記第１端部から外部へ突出する小端部に結合構造を介して外嵌固定されるとともに、前記外装ケースの第１端部に係合して、前記大端部との協働により、前記内装部材からの外装ケースの脱落を規制する規制部材と、
前記替えブラシを振動させるために、前記内装部材に組み込んだ振動発生手段と、
を備えたことを特徴とする電動歯ブラシ。
【請求項２】
前記結合構造として、前記規制部材と小端部間に凹凸嵌合部を形成した請求項１記載の電動歯ブラシ。
【請求項３】
前記結合構造として、前記規制部材と小端部間に螺合部を設けた請求項１記載の電動歯ブラシ。
【請求項４】
前記外装ケースの第１端部に内側へ延びて、前記規制部材と内装部材間に保持される被保持部を形成した請求項１〜３のいずれか１項記載の電動歯ブラシ。
【請求項５】
前記小端部に替えブラシを着脱自在に取り付けるための取付軸を設け、前記規制部材の外面を外装ケースの第１端部の外面に連続的に連なるように構成した請求項１〜４のいずれか１項記載の電動歯ブラシ。
【請求項６】
前記大端部に替えブラシを着脱自在に取り付けるための取付軸を設け、前記大端部の外面を外装ケースの第２端部の外面に連続的に連なるように構成した請求項１〜４のいずれか１項記載の電動歯ブラシ。
【請求項７】
前記内装部材のうちの取付軸とは反対側端部を、磁束を透過可能な合成樹脂材料で構成し、該反対側端部に非接触充電用の誘導コイルを設けた請求項５又は６記載の電動歯ブラシ。
【請求項８】
前記振動発生手段として、錘型ムーブメントと、それを回転又は往復運動させるアクチュエータとを備えたものを用いた請求項１〜７のいずれか１項記載の電動歯ブラシ。
【請求項９】
持ち手としてのハンドル部に替えブラシを着脱自在に取り付けた電動歯ブラシであって、
前記ハンドル部は、
第１端部と第２端部とを有し、前記第１端部に内側へ延びる被保持部を形成した金属製の外装ケースと、
前記第１端部を挿通する小端部を有し、前記外装ケースの第２端部側から小端部を挿入して、前記外装ケースに内装した内装部材と、
前記第１端部から外部へ突出する小端部に結合構造を介して外嵌固定されるとともに、前記内装部材との間へ延びる第１端部の被保持部を保持して、前記内装部材からの外装ケースの脱落を規制する規制部材と、
前記替えブラシを振動させるために、前記内装部材に組み込んだ振動発生手段と、
前記替えブラシを着脱自在に取り付けるために、前記小端部に設けた取付軸と、
前記第２端部を閉塞する蓋部材と、
を備えたことを特徴とする電動歯ブラシ。
【発明の詳細な説明】
【技術分野】
【０００１】
本発明は、手動のブラッシング操作の清掃力を電動による清掃力で助勢可能となした電動歯ブラシに好適に利用可能な電動歯ブラシに関するものである。
【背景技術】
【０００２】
電動歯ブラシとして、モータの回転運動をブラシ部の往復直線運動に変換する変換手段を備えた直線運動タイプや、モータの回転運動をブラシ部の往復反転運動に変換する変換手段を備えた反転運動タイプや、リニアアクチュエータによりブラシ部を直接的に往復振動させるリニア振動タイプや、モータにより錘型ムーブメントを回転させてブラシ部を間接的に振動させる錘回転振動タイプや、リニアアクチュエータにより錘型ムーブメントを往復運動させてブラシ部を間接的に振動させる錘リニア振動タイプなどが広く採用されている。【０００３】
また、電動歯ブラシのハンドル部として、有底な円筒状の外装ケースに、モータや電池などの駆動部を組付けた内装部材を装填し、内装部材に設けた替えブラシ用の取付軸が外部に突出するように、外装ケースに環状の蓋部材を嵌合固定して、内装部材を外装ケースに一体化してなるものが提案されている（例えば、特許文献１参照。）。
【先行技術文献】
【特許文献】
【０００４】
【特許文献１】特開２０１２−１８３２１９号公報
【発明の概要】
【発明が解決しようとする課題】
【０００５】
直線運動タイプ、反転運動タイプ、リニア振動タイプの電動歯ブラシは、電動によるブラッシング力を強くできるが、構造が複雑でハンドル部がどうしても太くなったり、歯ブラシが重くなったりする。特に、複数の振動モードを有する場合、スイッチ部の構造も複雑になり、かつスイッチは歯ブラシを握った状態で操作することからハンドル部の円周部に設置しなければならないことから、ハンドル部はより一層太くなり、歯ブラシも更に重くなる恐れがある。ハンドル部が太くなったり、重くなると、手の小さい子供や女性、握力が弱かったり持続力に乏しい子供や老齢者、病人においては、しっかりと歯ブラシを握り続けることが難しくなることから、十分な歯磨き時間を確保できず、歯磨きしたにもかかわらず不十分な口腔清掃状態となる恐れがあり好ましくない。【０００６】
一方、手動歯ブラシでは、歯ブラシの清掃性は、フィラメントの毛先が歯面等の表面を往復する際の物理力に大きな影響を受ける。このため、効率良く清掃するためには、清掃したい部分で毛先を往復動させることが好ましいが、そのためには適切なブラッシング技術を体得する必要がある。しかし、実際には利用者の好みに応じた我流のブラッシング法でブラッシングしている人が多く、過度に力を加えたブラッシングや、長時間のブラッシングを行い続けると、歯牙や歯肉を削り取るという問題がある。また、適切なブラッシング技術を体得していないと、十分な口腔清掃を得るためには、より長い時間をかけてブラッシングする必要が生じるが、子供や高齢者、病人、妊婦など歯磨きのために口を長く開け続けることができない人では十分な口腔清掃を行なえない恐れがある。さらに、子供やセルフケアが困難な高齢者や病人においては、自己又は介助者による口腔清掃において、より一層高度なブラッシング技術が必要となるが、その技術を会得している人が多くないことから、子供やセルフケアが困難な高齢者や病人においては、口腔清掃が不完全になり易い恐れが高い。口腔清掃が不十分だと、齲蝕や歯周病などの疾患を引き起こすだけでなく、誤嚥性肺炎や早期流産などの全身疾患等の原因の一つにもなることが知られており、特に要介護者や高齢者、妊婦において短時間に十分な口腔清掃を行なうことが大きな課題となっている。【０００７】
ところで、電動歯ブラシにおいて、ブラシ部（フィラメントを植毛している部分）を上下運動や回転運動させるなど大きく動かそうとすると、モータの回転動力を物理的に直接ブラシ部に伝えるための機構部分を設ける必要が生じたり、駆動させるための運動エネルギーが必要であることからモータの小型化には限界があることなどから、ハンドル部を含む歯ブラシ本体を細くすることが十分にできなかった。一方、回転モータにより錘型ムーブメントを回転させる錘回転振動タイプや、リニアモータにより錘型ムーブメントを往復運動させることで歯ブラシ全体に振動を与える錘リニア振動タイプなどの錘振動タイプの電動歯ブラシは、構造が簡単なのでハンドル部を細く、スリムでお洒落に構成でき、しかもハンドバックやポシェットなどに収納可能なことから、最近若い女性の間で普及しつつある。しかし、この錘振動タイプの電動歯ブラシは、錘型ムーブメントの回転や往復運動に伴う重心の変動をブラシ部に伝達することで機械的な清掃力を得るものであるから、モータ駆動部と物理的に結合し歯ブラシヘッド部を運動させる一般的な電動歯ブラシと比較すると、格段にブラシ部に与えられる運動エネルギーが小さく、十分な清掃力を得るには不十分となる。【０００８】
このような状況に鑑みて、本発明者は、錘振動タイプのように、ハンドル部を細く、スリムにできるが、弱いブラッシング力しか得られない電動歯ブラシにおいては、手動歯ブラシのハンドル部の太さ近くまで、ハンドル部を細くすることで、手動によるブラッシング操作の操作性を十分に確保し、手動によるブラッシング操作だけでは十分な清掃性が得られない場合に電動により助勢することで、全体として十分なブラッシング力を確保できるとの発想を得て、手動によるブラッシングを助勢する電動アシスト歯ブラシの開発について鋭意検討した。【０００９】
また、持ち手としてのハンドル部の外装ケースは、通常、安価に製作可能でしかも設計自由度が高いことから、合成樹脂材料で構成されている。しかし、合成樹脂材料で外装ケースを構成すると強度剛性を十分に確保するため、ハンドル部がどうしても太くなるという問題があった。また、外装ケースを金属材料で構成し、外装ケースの強度剛性を高めて、ハンドル部を細く、スリムに構成することも考えられるが、軽量化のため外装ケースの肉厚を薄くすると、外装ケースに切削によりネジ部を形成することができず、転造などによりネジ部を形成する必要があるので、外部にネジ部が露出して外観が低下するという問題がある。また、外部に露出したネジ部が覆われるように、蓋部材を設けることも可能であるが、その場合には蓋部材によりハンドル部の端部の外径がどうしても大きくなり、蓋部材により意匠性が低下したり、操作性が低下したりするという問題がある。しかも、外装ケースを金属材料で構成すると、磁束が遮断されることから、誘導コイルを用いた非接触充電が困難になるという問題もある。【００１０】
本発明の目的は、金属製筒状の外装ケースを用いつつ、それにネジ部を形成しないように構成することで、ハンドル部を細く、スリムに構成して、操作性及び意匠性を向上でき、しかも外装ケースから外部へ突出する内装部材に誘導コイルを組み込むことで、非接触充電が可能な電動歯ブラシを提供することである。
【課題を解決するための手段】
【００１１】
本発明に係る第１の電動歯ブラシは、持ち手としてのハンドル部に替えブラシを着脱自在に取り付けた電動歯ブラシであって、前記ハンドル部は、第１端部と第２端部とを有する金属製筒状の外装ケースと、前記第１端部を挿通する小端部と、前記第２端部に係止される大端部とを有し、前記外装ケースの第２端部側から小端部を挿入して、前記外装ケースに内装した内装部材と、前記第１端部から外部へ突出する小端部に結合構造を介して外嵌固定されるとともに、前記外装ケースの第１端部に係合して、前記大端部との協働により、前記内装部材からの外装ケースの脱落を規制する規制部材と、前記替えブラシを振動させるために、前記内装部材に組み込んだ振動発生手段とを備えたものである。【００１２】
この第１の電動歯ブラシのハンドル部では、外装ケースの第２端部側から内装部材の小端部を挿入し、内装部材の大端部を外装ケースの第２端部に係止するとともに、外装ケースの第１端部から外部へ突出する内装部材の小端部に、結合構造を介して規制部材を外嵌固定することで、外装ケースにネジ部を形成することなく、外装ケースと内装部材とを一体的に結合できる。このように、外装ケースにネジ部を形成する必要がないので、ネジ部により意匠性が低下することを確実に防止しつつ、外装ケースとして金属製の薄肉の筒状部材を採用することが可能となり、外装ケースを合成樹脂材料で構成する場合と比較して、ハンドル部材を軽量で、しかも細くスリムに構成することが可能となる。また、振動発生手段に関しても、比較的出力の弱い小型な、例えば錘回転振動タイプや錘リニア振動タイプなどの錘振動タイプの振動発生手段を採用することで、電動によるブラッシング力は低下するものの、電動歯ブラシのハンドル部をより細くスリムに構成して、手動によるブラッシング操作の操作性を高めることで、電動歯ブラシのブラッシング性能を全体として十分に確保できる。このため、手の小さい子供や女性、握力が弱かったり持続力に乏しい子供や老齢者、病人においても、握り易く、操作し易く、しかもブラッシング性能に優れた電動歯ブラシを実現できる。また、内装部材の大端部や規制部材を外装ケースよりも半径方向外方側へ突出しないように構成することも可能なので、凹凸の少ないすっきりしたデザインの、意匠性に優れた電動歯ブラシを実現できる。【００１３】
ここで、前記結合構造として、前記規制部材と小端部間に凹凸嵌合部を形成したり、前記規制部材と小端部間に螺合部を設けたりすることができる。【００１４】
前記外装ケースの第１端部に内側へ延びて、前記規制部材と内装部材間に保持される被保持部を形成することも好ましい実施の形態である。このように構成すると、第１端部側において外装ケースを内装部材に固定できるので、外装ケースと内装部材間の遊びを無くして、ハンドル部の水密性を高めたり、ガタによる異音の発生を防止したり、外装ケースの第１端部からの錆の発生を効果的に防止できる。【００１５】
前記小端部に替えブラシを着脱自在に取り付けるための取付軸を設け、前記規制部材の外面を外装ケースの第１端部の外面に連続的に連なるように構成したり、前記大端部に替えブラシを着脱自在に取り付けるための取付軸を設け、前記大端部の外面を外装ケースの第２端部の外面に連続的に連なるように構成したりすることが好ましい。このように構成すると、ハンドル部の外面に凹凸の少ないすっきりしたデザインの、意匠性に優れた電動歯ブラシを実現できる。【００１６】
前記内装部材のうちの取付軸とは反対側端部を、磁束を透過可能な合成樹脂材料で構成し、該反対側端部に非接触充電用の誘導コイルを設けることが好ましい実施の形態である。このように構成することで、金属製の外装ケースを用いつつ、誘導コイルを用いて非接触充電が可能となる。【００１７】
前記振動発生手段として、錘型ムーブメントと、それを回転又は往復運動させるアクチュエータとを備えたものを用いることが好ましい実施の形態である。本発明に係る電動歯ブラシは、直線運動タイプ、反転運動タイプ、リニア振動タイプなどの電動歯ブラシに対しても適用できるが、モータと、該モータにより偏心回転する錘型ムーブメントとを備えた錘回転振動タイプの電動歯ブラシや、リニアアクチュエータと、該リニアアクチュエータにより往復運動する錘型ムーブメントとを備え、ケーシングに伝達される振動をブラシ部に伝達するように構成した錘リニア振動タイプの電動歯ブラシに好適である。つまり、錘回転振動タイプや錘リニア振動タイプの電動歯ブラシは、歯ブラシ本体に対しても振動が伝達されるので、ブラシ部の振動がどうしても弱くなるが、モータやリニアアクチュエータとして小型なものを採用できるので、電動歯ブラシのハンドル部を細く、スリムに構成し、手動によるブラッシング操作に適した電動歯ブラシを実現できるので好ましい。具体的には、錘回転振動タイプや錘リニア振動タイプの電動歯ブラシを採用することで、前記ハンドル部の外径を８〜１８ｍｍ、好ましくは８〜１５ｍｍ、さらに好ましくは８〜１２ｍｍに設定することができる。このように構成することで、ハンドル部を手で保持して、手動によるブラッシング操作の操作性を十分に確保することができる。【００１８】
本発明に係る第２の電動歯ブラシは、持ち手としてのハンドル部に替えブラシを着脱自在に取り付けた電動歯ブラシであって、前記ハンドル部は、第１端部と第２端部とを有し、前記第１端部に内側へ延びる被保持部を形成した金属製の外装ケースと、前記第１端部を挿通する小端部を有し、前記外装ケースの第２端部側から小端部を挿入して、前記外装ケースに内装した内装部材と、前記第１端部から外部へ突出する小端部に結合構造を介して外嵌固定されるとともに、前記内装部材との間へ延びる第１端部の被保持部を保持して、前記内装部材からの外装ケースの脱落を規制する規制部材と、前記替えブラシを振動させるために、前記内装部材に組み込んだ振動発生手段と、前記替えブラシを着脱自在に取り付けるために、前記小端部に設けた取付軸と、前記第２端部を閉塞する蓋部材とを備えたものである。【００１９】
この第２の電動歯ブラシのハンドル部では、外装ケースの第２端部側から内装部材の小端部を挿入し、外装ケースの第１端部から外部へ突出する内装部材の小端部に結合構造を介して規制部材を外嵌固定するとともに、規制部材と内装部材との間へ延びる第１端部の被保持部を保持することで、替えブラシが着脱自在に取り付けられる、外装ケースの少なくとも第１端部側にネジ部を形成することなく、外装ケースと内装部材とを一体的に結合できる。一方、外装ケースの第２端部は、蓋部材で閉塞されるので、蓋部材が外装ケースよりも大径となり、ハンドル部の外観が低下する可能性はあるが、ブラッシングの操作性に影響を及ぼす外装ケースの第１端部側は、細くスリムに構成することが可能となる。また、振動発生手段に関しても、比較的出力の弱い小型な、例えば錘回転振動タイプや錘リニア振動タイプなどの錘振動タイプの振動発生手段を採用することで、電動によるブラッシング力は低下するものの、電動歯ブラシのハンドル部をより細くスリムに構成して、手動によるブラッシング操作の操作性を高めることで、電動歯ブラシのブラッシング性能を全体として十分に確保できる。このため、手の小さい子供や女性、握力が弱かったり持続力に乏しい子供や老齢者、病人においても、握り易く、操作し易く、しかもブラッシング性能に優れた電動歯ブラシを実現できる。また、内装部材の規制部材を外装ケースよりも半径方向外方側へ突出しないように構成することも可能なので、凹凸の少ないすっきりしたデザインの、意匠性に優れた電動歯ブラシを実現できる。【００２０】
なお、第２の電動歯ブラシに関しても、第１の電動歯ブラシと同様に、前記結合構造として、前記規制部材と小端部間に凹凸嵌合部を形成したり、前記規制部材と小端部間に螺合部を設けたりできる。また、前記規制部材の外面を外装ケースの第１端部の外面に連続的に連なるように構成したり、前記内装部材のうちの取付軸とは反対側端部及び蓋部材を、磁束を透過可能な合成樹脂材料で構成し、該反対側端部又は蓋部材に非接触充電用の誘導コイルを設けたり、前記振動発生手段として、錘型ムーブメントと、それを回転又は往復運動させるアクチュエータとを備えたものを用いたりすることができる。
【発明の効果】
【００２１】
本発明に係る第１及び第２の電動歯ブラシによれば、外装ケースを合成樹脂材料で構成する場合と比較して、ハンドル部材を軽量で、しかも細くスリムに構成することが可能となる。また、振動発生手段に関しても、比較的出力の弱い小型な、例えば錘回転振動タイプや錘リニア振動タイプなどの錘振動タイプの振動発生手段を採用することで、電動によるブラッシング力は低下するものの、電動歯ブラシのハンドル部をより細くスリムに構成して、手動によるブラッシング操作の操作性を高めることで、電動歯ブラシのブラッシング性能を全体として十分に確保できる。このため、手の小さい子供や女性、握力が弱かったり持続力に乏しい子供や老齢者、病人においても、握り易く、操作し易く、しかもブラッシング性能に優れた電動歯ブラシを実現できる。また、内装部材の大端部や規制部材を外装ケースよりも半径方向外方側へ突出しないように構成することも可能なので、凹凸の少ないすっきりしたデザインの、意匠性に優れた電動歯ブラシを実現できる。
【図面の簡単な説明】
【００２２】
【図１】（ａ）は第１の電動歯ブラシの概略説明図、（ｂ）は他の構成の第１の電動歯ブラシの概略説明図
【図２】（ａ）は第２の電動歯ブラシの概略構成図、（ｂ）（ｃ）は他の構成の第２端部の閉塞構造の説明図
【図３】他の構成の振動発生手段を備えた電動歯ブラシの概略構成図
【図４】電動歯ブラシの（ａ）は縦断面図、（ｂ）は図４（ａ）のIV-IV線断面図
【図５】外装ケースと内装部材の上端部の結合構造付近の縦断面図
【図６】図５のVI-VI線断面図
【図７】他の構成の結合構造付近の縦断面図
【図８】他の構成の結合構造の（ａ）は斜視図、（ｂ）は結合状態を示す横断面図、（ｃ）は結合直前を示す横断面図
【図９】他の電動歯ブラシの下部構造の（ａ）は斜視図、（ｂ）は縦断面図
【図１０】他の電動歯ブラシの下部構造の（ａ）は斜視図、（ｂ）は縦断面図
【図１１】他の電動歯ブラシの下部構造の（ａ）は斜視図、（ｂ）は縦断面図
【図１２】他の電動歯ブラシの下部構造の（ａ）は斜視図、（ｂ）は縦断面図
【発明を実施するための形態】
【００２３】
以下、本発明を実施するための形態について、図面を参照しながら説明する。
本発明に係る電動歯ブラシは、外装ケースと内装部材との組付構造に特徴を有するもので、次のような組付構造を備えた２種類の電動歯ブラシに大別できる。
【００２４】
（第１の電動歯ブラシ）
図１（ａ）に示すように、第１の電動歯ブラシ１は、持ち手としてのハンドル部２に替えブラシ３を着脱自在に取り付けた電動歯ブラシであって、ハンドル部２は、第１端部４ａと第２端部４ｂとを有する金属製筒状の外装ケース４と、第１端部４ａを挿通する小端部５ａ及び第２端部４ｂに係止される大端部５ｂとを有し、外装ケース４の第２端部４ｂ側から内装部材５の小端部５ａを挿入して、外装ケース４に内装した内装部材５と、第１端部４ａから外部へ突出する小端部５ａに結合構造６を介して外嵌固定されるとともに、外装ケース４の第１端部４ａに係合して、大端部５ｂとの協働により、内装部材５からの外装ケース４の脱落を規制する規制部材７とを備えている。
【００２５】
この電動歯ブラシ１では、替えブラシ３を着脱自在に取付けるための取付軸８が、外装ケース４から外部へ突出するように内装部材５の小端部５ａに設けられ、内装部材５の小端部５ａ側には振動発生手段９が組み付けられ、内装部材５の長さ方向の途中部には振動発生手段９への給電用の電池１０が組み付けられ、内装部材５の大端部５ｂには充電用の誘導コイル１１が組み付けられている。なお、誘導コイル１１は、磁束が遮断されないように、外装ケース４の外側に配置させることが好ましいが、誘導コイル１１を外装ケース４の長さ方向と直交する方向に配置して、外装ケース４のうちの誘導コイル１の両極に対面する部分に切欠部や貫通孔を形成し、充電器からの磁束が遮断されないように構成することも可能である。
【００２６】
この電動歯ブラシ１において、外装ケース４に内装部材５を組付ける際には、取付軸８を設けた内装部材５の小端部５ａを外装ケース４の第２端部４ｂ側から外装ケース４内に挿入して、外装ケース４内に内装部材５を装填し、外装ケース４の第１端部４ａから外部へ突出する内装部材５の小端部５ａに、凹凸嵌合や螺合などの結合構造６を介して規制部材７を外嵌固定し、内装部材５の大端部５ｂの段差部５ｃと規制部材７の外装ケース４側の当接面７ａ間に外装ケース４を保持することで、外装ケース４と内装部材５とを一体化することになる。
【００２７】
なお、電動歯ブラシ１では、内装部材５の小端部５ａ側に取付軸８を設けたが、大端部５ｂ側に取付軸８を設けることも可能である。この場合には、図１（ｂ）に示す電動歯ブラシ１Ａのハンドル部２Ａのように、替えブラシ３を着脱自在に取付けるための取付軸８を内装部材５Ａの大端部５Ａｂに突出状に設け、内装部材５Ａの大端部５Ａｂ側に振動発生手段９を組付け、内装部材５Ａの長さ方向の途中部に振動発生手段９への給電用の電池１０を組み付け、内装部材５Ａの小端部５Ａａに充電用の誘導コイル１１を組み付けることになる。この電動歯ブラシ１Ａを組み立てる際には、誘導コイル１１が組み付けられる内装部材５Ａの小端部５Ａａを外装ケース４の第２端部４ｂ側から挿入して、外装ケース４内に内装部材５Ａを装填し、外装ケース４の第１端部４ａから外部へ突出する内装部材５Ａの小端部５Ａａに結合構造６を介して規制部材７を外嵌固定することで、内装部材５Ａの大端部５Ａｂの段差部５ｃと規制部材７の外装ケース４側の当接面７ａ間に外装ケース４を保持することで、外装ケース４と内装部材５Ａとを一体化することになる。
【００２８】
（第２の電動歯ブラシ）
次に第２の電動歯ブラシ２０の外装ケース４と内装部材５との組付構造について説明するが、第１の電動歯ブラシ１と同一部材には同一符号を付してその説明を省略し、第１の電動歯ブラシ１との相違点についてのみ説明する。
【００２９】
第１の電動歯ブラシ１のハンドル部２では、内装部材５の大端部５ｂと、内装部材５の小端部５ａに固定した規制部材７間に外装ケース４を保持させて、外装ケース４と内装部材５とを一体化させたが、図２（ａ）に示す第２の電動歯ブラシ２０のハンドル部２１のように、外装ケース４の第１端部４ａに内側へ延びる被保持部４ｃを形成し、小端部５ａに結合構造６を介して規制部材７を固定し、規制部材７と内装部材５の小端部５ａ側の段差部５ｆ間に被保持部４ｃを保持することで、外装ケース４と内装部材５とを一体化させることも可能である。
【００３０】
この電動歯ブラシ２０において、外装ケース４に内装部材５を組付ける際には、取付軸８を設けた内装部材５の小端部５ａを外装ケース４の第２端部４ｂ側から外装ケース４内に挿入して、外装ケース４内に内装部材５を装填し、外装ケース４の第１端部４ａから外部へ突出する内装ケースの小端部５ａに結合構造６を介して規制部材７を外嵌固定して、小端部５ａに固定した規制部材７と内装部材５の小端部５ａ側の段差部５ｆ間に被保持部４ｃを保持することで、外装ケース４と内装部材５とを一体化することになる。
【００３１】
なお、外装ケース４の第２端部４ｂは、図２（ａ）に示す電動歯ブラシ２０のように、前記第１の電動歯ブラシ１と同様に、内装部材５に大端部５ｂを形成して閉塞したり、図２（ｂ）に示す電動歯ブラシ２０Ａのように、内装部材５の小端部５ａとは反対側の端部５ＡＢを外装ケース４の第２端部４ｂよりも小径に構成し、別部材からなる蓋部材２２Ａを外装ケース４の第２端部４ｂに螺合や凹凸嵌合などの結合構造２３Ａを介して取付けて、蓋部材２２Ａにより第２端部４ｂを閉塞したり、図２（ｃ）に示す電動歯ブラシ２０Ｂのように、内装部材５の小端部５ａとは反対側の端部５ＢＢを外装ケース４の第２端部４ｂよりも小径に構成し、別部材からなる蓋部材２２Ｂを端部５Ｂｂに螺合や凹凸嵌合などの結合構造２３Ｂを介して取付けて、蓋部材２２Ｂにより第２端部４ｂを閉塞したりすることが可能である。
【００３２】
（構成部品）
次に、電動歯ブラシ１、１Ａ、２０、２０Ａ、２０Ｂの構成部品について説明する。
替えブラシ３は、上端部に植毛台１２を形成し、下端部に取付軸８に着脱自在に嵌合する取付孔１３を形成した合成樹脂製の柄１４と、植毛台１２に複数の毛束１５を植設してなるブラシ部１６とを備えた周知の構成のものである。
【００３３】
外装ケース４としては、電動歯ブラシを極力軽量に構成するため、アルミニウム合金やマグネシウム合金などの軽金属材料で構成することが好ましいが、錆の発生を極力防止するためステンレスなどで構成することも好ましい。また、アルミニウム合金で構成する場合には、外面にアルマイト処理を施して意匠性や耐擦傷性や防錆性を向上することが好ましい。外装ケース４の外径は、手動によるブラッシングの操作性を向上するため、８〜１８ｍｍ、好ましくは８〜１５ｍｍ、さらに好ましくは８〜１２ｍｍに設定することが好ましい。外装ケース４の肉厚は、使用する金属材料にもよるが、例えばアルミニウム合金で構成する場合には、０．１ｍｍ未満の場合には十分な強度剛性が得られず、１．０ｍｍを超えると、外装ケース４の外径が大きくなるとともに、電動歯ブラシが重たくなるので、０．１〜１．０ｍｍに設定することが好ましい。更に、外装ケース４の外周面に滑り止め用の複数のディンプルを設けることも好ましい実施の形態である。更にまた、外装ケース４は、全長にわたって略同径に構成することも可能であるが、電動歯ブラシ１、２０、２０Ａ、２０Ｂにおいては、取付軸８側へ行くにしたがって縮径するテーパ筒体で構成することも可能である。
【００３４】
内装部材５、５Ａは、合成樹脂材料で構成され、１部品で構成することも可能であるが、一体的に結合可能な複数部品に分割構成することも可能であり、例えば図４に示すように、大端部５ｂ側と小端部５ａ側の２つの分割体５Ｕ、５Ｌで構成して、両者を凹凸嵌合などの結合構造４０で一体的に結合するように構成することができる。
【００３５】
電動歯ブラシ１、１Ａ、２０、２０Ａ、２０Ｂでは、取付軸８は内装部材５、５Ａに一体的に形成したが、図３に示す電動歯ブラシ１Ｂのように、取付軸８を内装部材５とは別部材で構成して、内装部材５にインサート成形などにより一体化させることも可能である。
【００３６】
また、電動歯ブラシ１、１Ａ、２０、２０Ａ、２０Ｂでは、振動発生手段９として、モータ２５と、モータ２５の回転軸２５ａに固定した錘ムーブメント２６とを有し、モータ２５により錘ムーブメント２６を偏心回転させることで、内装部材５、５Ａを振動させ、この振動を取付軸８と柄１４を介してブラシ部１６に伝達するように構成したものを用いたが、図３に示す電動歯ブラシ１Ｂのように、内装部材５の長さ方向に往復直線運動する出力軸２７ａを有するリニアアクチュエータ２７と、該リニアアクチュエータ２７の出力軸２７ａの両端部に固定した錘ムーブメント２８とを備え、リニアアクチュエータ２７により錘ムーブメント２８を往復直線運動させて、内装部材５に作用する振動をブラシ部１６に伝達するように構成した振動発生手段２９を用いることもできる。この振動発生手段２９では、バス法によるブラッシング操作を助勢することができる。なお、錘ムーブメント２８は出力軸２７ａの両端部に設けることもできるし、片側にのみ設けることもできる。更に、振動発生手段としては、ハンドル部２を細くスリムに構成するため、振動発生手段９、２９のように錘振動タイプを採用することが好ましいが、直線運動タイプ、反転運動タイプ、リニア振動タイプなどの振動発生手段を採用することも可能である。
【００３７】
振動発生手段９、２８を作動状態と停止状態とに切り換えるためのソフトスイッチが設けられ、このソフトスイッチでは、加速度センサ３８（図４（ｂ）参照）からの出力に基づいて、手動によるブラッシング操作を検出した際に、振動発生手段９、２８へ通電し、手動によるブラッシング操作が検出されなかったときに、振動発生手段９、２８への通電を遮断するように構成されている。ただし、振動発生手段９、２８への通電用の機械式の電源スイッチを電動歯ブラシの下端部や側面に設けることも可能である。
【００３８】
電池１０としては、ニッケル水素二次電池やリチウムイオン二次電池などの二次電池が用いられ、外部の充電器に電動歯ブラシをセットすることで、誘導コイル１１により電池１０を充電できるように構成されている。ただし、電池１０の充電は、誘導コイル１１を用いて非接触により行えるように構成することが、電動歯ブラシの水密性を向上する上で好ましいが、誘導コイル１１を省略して、充電器に電動歯ブラシをセットしたときに、電源端子が接触されて充電できるように構成することも可能である。また、二次電池に代えて、一次電池を用いることも可能である。
【００３９】
この第１及び第２の電動歯ブラシによれば、外装ケース４を合成樹脂材料で構成する場合と比較して、ハンドル部２を軽量で、しかも細くスリムに構成することが可能となる。また、振動発生手段９、２８に関しても、比較的出力の弱い小型な、例えば錘回転振動タイプや錘リニア振動タイプなどの錘振動タイプの振動発生手段を採用することで、電動によるブラッシング力は低下するものの、電動歯ブラシのハンドル部２をより細くスリムに構成して、手動によるブラッシング操作の操作性を高めることで、電動歯ブラシのブラッシング性能を全体として十分に確保できる。このため、手の小さい子供や女性、握力が弱かったり持続力に乏しい子供や老齢者、病人においても、握り易く、操作し易く、しかもブラッシング性能に優れた電動歯ブラシを実現できる。また、内装部材５の大端部５ｂや規制部材７の外面を外装ケース４の外面と面一に構成して、外装ケース４の半径方向外方側へ突出しないように構成することで、凹凸の少ないすっきりしたデザインの、意匠性に優れた電動歯ブラシを実現できる。
【００４０】
（電動歯ブラシの具体的構成）
次に、第２の電動歯ブラシ２０の具体的構成について説明する。なお、本実施の形態では、替えブラシ３を上側にして電動歯ブラシ２０を縦向きにした状態を基準に上下を定義して説明する。
【００４１】
図４〜図６に示すように、電動歯ブラシ２０は、持ち手としてのハンドル部２１と、ハンドル部２１の取付軸８に着脱自在に取付けた替えブラシ３とを備え、ハンドル部２１を細くスリムに構成することで、手動によるブラッシング操作の操作性を向上するとともに、ハンドル部２１に組み込んだ振動発生手段９により、替えブラシ３のブラシ部１６を振動させて、手動によるブラッシング操作を、電動によるブラッシング操作により助勢できるように構成したものである。
【００４２】
替えブラシ３は、上端部に植毛台１２を形成し、下端部に取付軸８に着脱自在に嵌合する取付孔１３を形成した合成樹脂製の柄１４と、植毛台１２に複数の毛束１５を植設してなるブラシ部１６とを備えた周知の構成のものである。
【００４３】
替えブラシ３には取付孔１３を構成する弾性変形可能な１対の係止片３ａが形成され、取付軸８の途中部には係合溝８ａが形成され、替えブラシ３は、係止片３ａの下端部に設けた凸部３ｂと係合溝８ａとの係合により、ブラッシング操作程度の力では容易に脱落しないように着脱自在に構成されている。ただし、取付軸８に対する替えブラシ３の取付構造としては、周知の構成のものを採用でき、例えば替えブラシ３の取付孔１３に取付軸８を挿入した後、替えブラシ３を一定角度回転させることで、取付軸８に対して替えブラシ３を連結できるように構成することもできる。
【００４４】
ハンドル部２１は、アルミニウム合金製の円筒状の外装ケース４と、外装ケース４に内装した合成樹脂製の内装部材５とを備えている。外装ケース４の上端部には小径の第１端部４ａが形成され、第１端部４ａの基部には内側へ延びる鍔状の段差部からなる被保持部４ｃが形成され、第１端部４ａの上端部には内側へ延びる鍔状の規制部４ｄが形成されている。内装部材５の上端部には第１端部４ａに内嵌される円筒状の小端部５ａが形成され、内装部材５の下端部には外装ケース４の第２端部４ｂに係止される大端部５ｂが形成され、内装部材５は、小端部５ａを外装ケース４の下端部から挿入して、外装ケース４に内装され、この状態で、小端部５ａに結合構造６を介して筒状の規制部材７を外嵌固定し、規制部材７と内装部材５の小端部５ａの基部の段差部５ｆ間に被保持部４ｃを保持するとともに、規制部材７の当接面７ａと大端部５ｂの段差部５ｃ間に外装ケース４を保持することで、外装ケース４に一体的に組み付けられている。
【００４５】
第１端部４ａに対する規制部材７の結合構造６について説明すると、規制部材７が、上端側を縮径させた筒状のカバー部７ｂと、カバー部７ｂの上端部からカバー部７ｂの内側へ垂下させた１対の係止爪７ｃとを備え、係止爪７ｃの下端部には内側へ突出する係止凸部７ｄが形成されている。小端部５ａは被保持部４ｃよりも上方へ突出され、小端部５ａの高さ方向の途中部には１対の係止凹部５ｄが形成され、規制部材７は、係止凸部７ｄが係止凹部５ｄに凹凸嵌合するように、小端部５ａに外嵌させることで、容易には脱落しないように、小端部５ａに組み付けられている。なお、符号５ｅは、小端部５ａに設けたハンドル部２１の長さ方向に延びる嵌合溝であり、符号７ｅは、規制部材７に設けた嵌合凸部であり、規制部材７は、嵌合凸部７ｅが嵌合溝５ｅに凹凸嵌合することで、小端部５ａに相対回転不能に回り止めされている。
【００４６】
なお、規制部材７と小端部５ａとの結合構造６としては、図７に示す結合構造６Ａのように、小端部５ａの外周面に係止凹部５ｄに代えて雄ネジ部３０を形成し、規制部材７に代えて、カバー部７ｂの内周面に雌ネジ部３１を形成した規制部材７Ａを用い、小端部５ａに規制部材７Ａを螺合させて、規制部材７Ａを小端部５ａに固定することも可能である。また、図８に示す結合構造６Ｂのように、小端部５ａの外周面に下向きＵ字状の１対の係止部３２を突出状に形成し、規制部材７に代えて、カバー部７ｂの内周面に１対の係止凸部３３を形成した規制部材７Ｂを用い、図８（ｃ）に示すように、小端部に規制部材７Ｂを嵌合させた後、規制部材７Ｂを矢印Ａの方向へ回転させることで、係止凸部３３の円弧面３３ａが係止部３２の円弧面３２ａを乗り越えて、図８（ｂ）に示すように、係止部３２の凹部３２ａに係止凸部３３に嵌合することで、係止部３２で規制部材７Ｂを抜け止めできるように構成することも好ましい。
【００４７】
内装部材５は、大端部５ｂ側と小端部５ａ側の２つの分割体５Ｕ、５Ｌで構成され、両分割体５Ｕ、５Ｌは凹凸嵌合などの結合構造４０で一体的に結合されている。内装部材５の小端部５ａには替えブラシ３を着脱自在に取付けるための取付軸８がインサート成形により一体的に設けられ、内装部材５の小端部５ａ側には振動発生手段９が組み付けられ、内装部材５の長さ方向の途中部には振動発生手段９への給電用の電池１０が組み付けられ、内装部材５の大端部５ｂには充電用の誘導コイル１１が組み付けられている。
【００４８】
内装部材５の小端部５ａと外装ケース４の第１端部４ａ間にはシールリング３５が装着され、内装部材５の大端部５ｂよりもやや上側部分と外装ケース４の下端部間にはシールリング３６が装着され、両シールリング３５、３６により外装ケース４内の水密性が確保されている。
【００４９】
内装部材５の上部にはモータ２５が取付けられ、内装部材５の途中部には電池１０が組み付けられ、内装部材５の側部には回路基板３７が取付けられ、内装部材５の下部には誘導コイル１１が組み付けられ、モータ２５と電池１０と回路基板３７と誘導コイル１１は内装部材５とともに外装ケース４に組み込まれている。
【００５０】
振動発生手段９は、モータ２５と、モータ２５の回転軸２５ａの上端部に固定した錘ムーブメント２６とを有し、モータ２５により錘ムーブメント２６を偏心回転させることで、外装ケース４の上部を振動させ、この振動を取付軸８と柄１４を介してブラシ部１６に伝達するように構成されている。なお、符号３９は、電池接点である。
【００５１】
回路基板３７には、誘導コイル１１から供給される誘導電流により電池１０を充電するための充電回路と、ハンドル部２１の長さ方向へのハンドル部２１の移動を検出する加速度センサ３８と、加速度センサ３８からの出力を受けて、モータ２５への通電を制御するための制御手段などが設けられ、手動によるブラッシング操作が、加速度センサ３８により検出されたときに、振動発生手段９を作動させるように構成されている。
【００５２】
この電動歯ブラシ２０では、錘振動タイプの振動発生手段９を採用しているので、振動発生手段９を小型に構成できる。また、金属製の外装ケース４を用い、しかも外装ケース４にネジ部を形成しないので、外装ケース４の肉厚を薄くしつつその強度剛性を高めることができ、ハンドル部２１を細くスリムに構成できる。このように、ハンドル部２１を細くスリムに構成することで、手動によるブラッシングの操作性を高めることができるので、ブラッシング力のあまり強くない錘振動タイプの振動発生手段９を用いつつ、手動によるブラッシングを電動によるブラッシング力で助勢することで、全体として十分なブラッシング性能を確保することが可能となる。
【００５３】
次に、電動歯ブラシの下部構造を部分的に変更した他の実施の形態について説明する。なお、前記実施の形態と同一部材には同一符号を付してその詳細な説明を省略する。
【００５４】
（１）図９に示す下部構造５０のように、大端部５ｂに代えて、Ｌ字状の切欠部５１を形成した大端部本体５２と、切欠部５１に嵌合固定した透明部材５３とを備えた大端部５４を設け、透明部材５３に対面するように回路基板３７に電動歯ブラシ２０や充電器の作動状態を表示するＬＥＤ５５を設け、透明部材５３を通じてＬＥＤ５５の発光状態を目視できるように構成することもできる。ＬＥＤ５５としては、単色或いは複数色に切換え可能に発光可能なものを採用することができ、電動歯ブラシ２０や充電器の状態を利用者に知らせるように構成できる。例えば、緑色と赤色に発光可能な２種類のＬＥＤを設け、二次電池１０が十分な充電量を有するときには緑色ＬＥＤを点灯し、二次電池１０の充電残量が少なくなったときには、緑色ＬＥＤを点滅させ、二次電池１０が最終放電電圧以下になったときには、緑色ＬＥＤを消灯させ、また電動歯ブラシ２０を充電器にセットして、二次電池１０を充電しているときには、赤色ＬＥＤを点灯させ、電動歯ブラシ２０を充電器にセットしているにも関わらず、赤色ＬＥＤが消灯している場合には、充電器が故障している可能性があることを利用者に知らせることになる。なお、符号５６は二次電池１０のマイナス極に接続される電池接点である。また符号５７は、外装ケース４の下端部に形成した回転止め用の切欠部で、この切欠部５７に透明部材５３が嵌合することで、外装ケース４と対端部の相対回転が規制される。
【００５５】
（２）図１０に示す下部構造６０のように、大端部５ｂに代えて、高さ方向の途中部の外周面に角孔６１を形成した大端部本体６２と、角孔６１に嵌合固定した透明部材６３と、底面部に形成した取付孔６４と、取付孔６４に内嵌装着したシールリング６５及び押しボタン６６とを備えた大端部６７を設け、前記下部構造５０と同様に、回路基板３７に電動歯ブラシ２０や充電器の作動状態を表示するＬＥＤ５５を設けて、透明部材６３を通じてＬＥＤ５５の発光状態を目視できるように構成するとともに、回路基板３７の下端部に主電源スイッチ６８を設け、押しボタン６６により操作部材６９を介して主電源スイッチ６８を操作して、加速度センサ３８等への通電を遮断する誤動作防止機能をオン状態とオフ状態とに切換え可能に構成することもできる。この場合には、前記下部構造５０と同様の作用効果が得られるとともに、電動歯ブラシ２０の出荷後の配送や保管時、或いは利用者が電動歯ブラシ２０を携帯して自動車等で移動するときに、押しボタン６６を操作して主電源スイッチ６８により誤動作防止機能をオン状態にし、加速度センサ３８等への通電を遮断することで、電動歯ブラシ２０に作用する振動で、電動歯ブラシ２０が誤動作することを確実に防止できるとともに、待機電流が発生しないため、電動歯ブラシ２０の稼働時間が低下することを防止できる。また、この主電源スイッチ６８は、電動歯ブラシ２０の使用時に操作する必要が無いことから、従来の電源スイッチとは異なり、電動歯ブラシ２０を把持したときに操作できない位置、即ち図１０のようにハンドル部２１の下端部に設けることができ、主電源スイッチ６８を設けることにより、電動歯ブラシ２０のハンドル部２１が太くなることを防止できる。なお、使用時には、押しボタン６６を再度押し操作して主電源スイッチ６８により誤動作防止機能をオフ状態にすることで、電動歯ブラシ２０を作動状態に切り換えることになる。
【００５６】
（３）図１１に示す下部構造７０のように、大端部５ｂに代えて、高さ方向の途中部の外周面に形成した楕円孔７１と、楕円孔７１に嵌合固定した透明部材７２と、底面部に形成した取付孔７３と、取付孔７３に内嵌装着したシールリング７４及び押しボタン７５と、底面部に形成したガス抜き穴７６とを備えた大端部７７を設け、前記下部構造６０と同様に、回路基板３７に電動歯ブラシ２０や充電器の作動状態を表示するＬＥＤ５５を設けて、透明部材７２を通じてＬＥＤ５５の発光状態を目視できるように構成するとともに、回路基板３７の下端部に主電源スイッチ６８を設け、押しボタン７５の操作部７５ａを介して主電源スイッチ６８を操作できるように構成し、更にガス抜き穴７６における外装ケース４の内側端部に、液体は通過しないが気体は通過する通気性膜７９を設け、外部から水などの異物が電動歯ブラシ２０の内部に流入することを防止できるように構成することが好ましい。この場合には、下部構造６０と同様の作用効果が得られるとともに、二次電池１０の劣化に伴いガスが発生した場合でも、該ガスをガス抜き穴７６を通じて外部に排出できるので、電動歯ブラシ２０が膨張したり、変形したり、破裂したりすることを防止できる。また、図１２に示す下部構造７０Ａのように、楕円孔７１に代えて丸孔８０を大端部７７Ａに形成して、該丸孔８０に透明部材８１を嵌合固定するとともに、押しボタン７５に脱落防止用のフック部７５ｂを設けることもできる。
【００５７】
以上、本発明の実施形態について説明したが、本発明は前述した実施形態に何ら限定されるものではなく、本発明の要旨を逸脱しない範囲においてその構成を変更し得ることは勿論である。
【符号の説明】
【００５８】
１      電動歯ブラシ      ２      ハンドル部
３      替えブラシ        ３ａ    係止片
３ｂ    凸部
４      外装ケース        ４ａ    第１端部
４ｂ    第２端部          ４ｃ    被保持部
４ｄ    規制部
５      内装部材          ５ａ    小端部
５ｂ    大端部            ５ｃ    段差部
５ｄ    係止凹部          ５ｅ    嵌合溝
５ｆ    段差部
５Ｕ    分割体            ５Ｌ    分割体
６      結合構造          ７      規制部材
７ａ    当接面            ７ｂ    カバー部
７ｃ    係止爪            ７ｄ    係止凸部
７ｅ    嵌合凸部
８      取付軸            ８ａ    係合溝
９      振動発生手段      １０    電池
１１    誘導コイル        １２    植毛台
１３    取付孔            １４    柄
１５    毛束              １６    ブラシ部
１Ａ    電動歯ブラシ      ２Ａ    ハンドル部
５Ａ    内装部材          ５Ａａ  小端部
５Ａｂ  大端部
２０    電動歯ブラシ      ２１    ハンドル部
２０Ａ  電動歯ブラシ      ２２Ａ  蓋部材
２３Ａ  結合構造          ５ＡＢ  端部
２０Ｂ  電動歯ブラシ      ２３Ｂ  蓋部材
２３Ｂ  結合構造          ５ＢＢ  端部
２５    モータ            ２５ａ  回転軸
２６    錘ムーブメント
１Ｂ    電動歯ブラシ      ２７    リニアアクチュエータ
２７ａ  出力軸            ２８    錘ムーブメント
２９    振動発生手段
６Ａ    結合構造          ７Ａ    規制部材
３０    雄ネジ部          ３１    雌ネジ部
６Ｂ    結合構造          ７Ｂ    規制部材
３２    係止部            ３２ａ  円弧面
３２ｂ  凹部
３３    係止凸部          ３３ａ  円弧面
３５    シールリング      ３６    シールリング
３７    回路基板          ３８    加速度センサ
３９    電池接点          ４０    結合構造
５０    下部構造          ５１    切欠部
５２    大端部本体        ５３    透明部材
５４    大端部            ５５    ＬＥＤ
５６    電池接点          ５７    切欠部
６０    下部構造          ６１    角孔
６２    大端部本体        ６３    透明部材
６４    取付孔            ６５    シールリング
６６    押しボタン        ６７    大端部
６８    主電源スイッチ    ６９    操作部材
７０    下部構造          ７０Ａ  下部構造
７１    楕円孔            ７２    透明部材
７３    取付孔            ７４    シールリング
７５    押しボタン        ７５ａ  操作部
７５ｂ  フック部          ７６    ガス抜き穴
７７    大端部            ７７Ａ  大端部
７９    通気性膜          ８０    丸孔
８１    透明部材
【図１】
2015147054.tif 000003
【図２】
2015147054.tif 000004
【図３】
2015147054.tif 000005
【図４】
2015147054.tif 000006
【図５】
2015147054.tif 000007
【図６】
2015147054.tif 000008
【図７】
2015147054.tif 000009
【図８】
2015147054.tif 000010
【図９】
2015147054.tif 000011
【図１０】
2015147054.tif 000012
【図１１】
2015147054.tif 000013
【図１２】
2015147054.tif 000014
【国際調査報告】
2015147054.tif 000015
2015147054.tif 000016
2015147054.tif 000017
2015147054.tif 000018